(57)【要約】【課題】  放熱効率を高めること。【解決手段】  ディスク装置（Ｂｌｕ−ｒａｙ  Ｄｉｓｃ式のレコーダまたはプレーヤ）において、ＢＤ用発光部１６のホルダＨの注入孔対向面Ｈａにグリス注入孔３０と同心状で該グリス注入孔３０よりも大径の環状グリス溜溝３３が形成され、該グリス溜溝３３の内周面がグリス注入孔３０と同心状の円錐形面３３ａとされると共に、そのグリス溜溝３３の外周面が外広がりの外周傾斜面３３ｂとされ、前記グリス注入孔３０の周縁部を折り曲げて放熱板２８に一体形成した環状突起部３４がグリス溜溝３３に向けて突出されており、グリス注入孔３０からグリス溜溝３３内にグリスＧを注入する。【選択図】        図１
2010160833.tif 000002
【特許請求の範囲】
【請求項１】
発熱体が金属製ホルダの中央嵌合孔に嵌入され、該ホルダに接近して配置した金属製放
熱板にグリス注入孔が開設されており、そのグリス注入口からホルダと放熱板との間の隙
間に放熱グリスを注入するようにした放熱装置において、前記ホルダの注入孔対向面にグ
リス注入孔と同心状で該グリス注入孔よりも大径の環状グリス溜溝が形成され、該グリス
溜溝の内周面がグリス注入孔と同心状の円錐形面とされると共に、そのグリス溜溝の外周
面が外広がりの外周傾斜面とされており、グリス注入孔からグリス溜溝内にグリスを注入
するようにしたことを特徴とする放熱装置。
【請求項２】
前記グリス注入孔の周縁部を折り曲げて放熱板に一体形成した環状突起部がグリス溜溝
に向けて突出されていることを特徴とする請求項１に記載の放熱装置。
【請求項３】
ディスク載置用トレイがローダーシャーシに前後進可能に配置され、該ローダーシャー
シに上下動可能に配置したトラバースシャーシにターンテーブルと光ピックアップとが配
置され、該光ピックアップがディスクの半径方向に沿って往復移動可能なスライドベース
を有し、該スライドベースの一方側面にＤＶＤ・ＣＤ用発光部が配置されると共に、その
スライドベースの後面にＢＤ用発光部が配置され、該各発光部がスライドベースに固定し
た金属製ホルダの中央嵌合孔に嵌入させたレーザダイオードからなり、ディスクを載置し
たトレイを後進させてローダーシャーシ内に収納し、トラバースシャーシを上動させてタ
ーンテーブルにディスクをクランプし、該ターンテーブルによりディスクを高速回転させ
、各発光部のレーザダイオードからレーザ光をディスクに投射し、その反射光に基づいて
ディスクに記録されている情報を読み取るようにしたディスク装置であって、放熱板本体
と該放熱板本体の一方側縁から折り曲げた放熱側板及びその放熱板本体の後縁から折り曲
げた放熱後板とからなる放熱板を有し、前記放熱側板及び放熱後板の端縁からその中央部
にかけて切欠き凹部が形成され、前記ＢＤ用発光部のホルダに対向して放熱板本体と放熱
後板とにグリス注入孔が開設されており、ＤＶＤ・ＣＤ用発光部のホルダに放熱グリスを
付着させ、放熱板本体をスライドベースに沿わせることにより前記各切欠き凹部を各レー
ザダイオードに遊嵌合させ、該放熱板本体をスライドベースの一方側面から他方側面に向
けて移動させることにより放熱側板をＤＶＤ・ＣＤ用発光部のホルダに接近させて該ホル
ダ上の放熱グリスに接着させ、それと同時に、放熱後板をＢＤ用発光部のホルダに接近状
態で対向させ、放熱板本体をスライドベースに止着した後、前記各グリス注入孔からホル
ダと放熱板本体及び放熱後板との間の隙間に放熱グリスを注入するようにした放熱装置に
おいて、前記ＢＤ用発光部のホルダの注入孔対向面にグリス注入孔と同心状で該グリス注
入孔よりも大径の環状グリス溜溝が形成され、該グリス溜溝の内周面がグリス注入孔と同
心状の円錐形面とされると共に、そのグリス溜溝の外周面が外広がりの外周傾斜面とされ
、前記グリス注入孔の周縁部を折り曲げて放熱板に一体形成した環状突起部がグリス溜溝
に向けて突出されており、グリス注入孔からグリス溜溝内にグリスを注入するようにした
ことを特徴とする放熱装置。
【発明の詳細な説明】
【技術分野】
【０００１】
本発明は、放熱装置に関し、例えばＢｌｕ−ｒａｙ  Ｄｉｓｃ式のレコーダまたはプレ
ーヤなどのディスク装置において発熱体であるレーザダイオードの放熱効率を高めたもの
である。
【背景技術】
【０００２】
ディスク装置（Ｂｌｕ−ｒａｙ  Ｄｉｓｃ式のレコーダまたはプレーヤ）として図４の
平面図及び図５の縦断面図に示すものがある。これは、ディスクＤ載置用トレイ１がロー
ダーシャーシ２に前後進ａ，ｂ可能に配置され、該ローダーシャーシ２内にシャーシ本体
３ａとレバーシフト３ｂとからなるトラバースシャーシ３が配置され、前記シャーシ本体
３ａの後部がゴムからなる後側弾性体４を介してローダーシャーシ２に上下動ｃ，ｄに連
結されると共に、該シャーシ本体３ａの前部がゴムからなる前側弾性体５を介してレバー
シフト３ｂに連結され、前記シャーシ本体３ａ上にターンテーブル６付きスピンドルモー
タ７と光ピックアップ８とが配置され、該光ピックアップ８がガイドレール９に沿ってデ
ィスクＤの半径方向に往復移動可能なスライドベース１０を有し、該スライドベース１０
のトレイ対向面に対物レンズＯＬ付きアクチュエータ１１とプリント配線基板からなるメ
イン基板１２とが配置されたものである。
【０００３】
前記スライドベース１０の一方側面にＤＶＤ・ＣＤ用発光部１４が配置されると共に、
該スライドベース１０の後面一端側にＤＶＤ・ＣＤ用読取部１５が配置され、また、スラ
イドベースの後面他端側にＢＤ（ブルーレイ）用発光部１６が配置されると共に、該スラ
イドベース１０の他方側面にＢＤ用読取部１７が配置されている。
【０００４】
図６の光ピックアップ８の裏面側斜視図及び図７（ａ）〜（ｃ）の取付手順説明図に示
すように、前記各発光部１４，１６は、スライドベース１０に固定した矩形横長状の金属
製ホルダＨの中央嵌合孔に嵌入させたレーザダイオードＬＤからなり、その発熱体である
各レーザダイオードＬＤからの放熱を促進するための放熱装置１８がスライドベース１０
に設けられている。また、前記各読取部１５，１７にはフォトダイオードＰＤが設けられ
ている。
【０００５】
図４及び図５に示すように、前記ローダーシャーシ２の前部にカムスライダ１９が前後
進ａ，ｂ方向とは直交する左右方向ｅ，ｆに沿ってスライド可能に配置され、該カムスラ
イダ１９に形成したカム溝２０ａと、レバーシフト３ｂに突設されてカム溝２０ａに嵌入
するカムピン２０ｂとからなるカム機構２０によりカムスライダ１９とレバーシフト３ｂ
とが連動連結されている。
【０００６】
図４に示すように、前記ローダーシャーシ２の前部にピニオン２２が正逆回転ｇ，ｈ可
能に配置され、該ピニオン２２に噛合可能なカムラック２３が前記カムスライダ１９に設
けられ、該ピニオン２２に噛合可能なトレイラック（図示せず）が前記トレイ１の裏面に
前後進ａ，ｂ方向に沿って形成され、前記カムスライダ１９にガイドピン２５が突設され
ると共に、該ガイドピン２５に係合可能なガイド枠（図示せず）がトレイ１の裏面に突設
されている。図５中、２６はターンテーブル６とでディスクＤをクランプするためのクラ
ンパである。
【０００７】
操作手順を説明すると、図４及び図５に実線で示す状態は、トレイオープン状態を示し
ており、ディスクＤをトレイ１上に載置し、フィードモータによりピニオン２２を矢印ｈ
方向に回転させることにより、該ピニオン２２に噛合するトレイラック（図示せず）を介
してトレイ１を後進ｂさせてローダーシャーシ２内に収納する（図４及び図５の仮想線参
照）。
【０００８】
続いて、トレイ１の裏面のガイド枠（図示せず）の傾斜面をガイドピン２５に押しつけ
てカムスライダ１９を矢印ｅ方向にスライドさせることにより、カムラック２３をピニオ
ン２２に噛合させ、該ピニオン２２の矢印ｈ方向への回転によりカムスライダ１９を矢印
ｅ方向にスライドさせ、カム機構２０を介してトラバースシャーシ３を上動ｃさせ、ター
ンテーブル６にディスクＤをクランプし、プレーモードにする。
【０００９】
そのプレイモードでは、ターンテーブル６によりディスクＤを高速回転させ、各発光部
１４，１６のレーザダイオードＬＤからレーザ光を対物レンズＯＬを通してディスクＤに
投射し、その反射光を各読取部１５，１７のフォトダイオードＰＤで受光してディスクＤ
に記録されている情報を読み取る。
【００１０】
図６及び図７に示すように、前記放熱装置１８は、スライドベース１０のトレイ反対面
１０ａに沿って形成した放熱板本体２８ａと該放熱板本体２８ａの一方側縁から折り曲げ
た放熱側板２８ｂ及びその放熱板本体２８ａの後縁から折り曲げた放熱後板２８ｃとから
なる放熱板２８を有し、放熱側板２８ｂ及び放熱後板２８ｃの端縁からその中央部にかけ
て略Ｕ字状の切欠き凹部２９が形成され、ＢＤ用発光部１６のホルダＨに対向して放熱板
本体２８ａと放熱後板２８ｃとにグリス注入孔３０が開設されている。
【００１１】
取付手順を説明すると、図７（ａ）に示すように、スライドベース１０のトレイ反対面
１０ａを上向きにした状態で、ＤＶＤ・ＣＤ用発光部１４のホルダＨに１つまたは複数（
この実施の一形態では２つ）の放熱グリスＧを点滴状に付着させ、放熱板２８を上方から
降ろすことにより、図７（ｂ）に示すように、放熱板本体２８ａをスライドベース１０の
トレイ反対面１０ａに沿わせ、各切欠き凹部２９を各レーザダイオードＬＤに遊嵌合させ
る。その後、該放熱板本体２８ａをスライドベース１０の一方側面から他方側面に向けて
矢印ｉ方向に移動させることにより、放熱側板２８ｂをＤＶＤ・ＣＤ用発光部１４のホル
ダＨに接近さて該ホルダＨ上の放熱グリスＧに接着させ、それと同時に、放熱後板２８ｃ
をＢＤ用発光部１６のホルダＨに接近状態で対向させ、図７（ｃ）に示すように、放熱板
本体２８ａをスライドベース１０にビス３１で止着した後、グリス注入孔３０からホルダ
Ｈと放熱板本体２８ａ及び放熱後板２８ｃとの間に放熱グリスＧを注入する。
【００１２】
従来、図８の要部の縦断面図に示すように、グリス注入孔が放熱板本体２８ａ及び放熱
後板２８ｃに平面的に開設され、該グリス注入孔３０に対向するホルダＨの注入孔対向面
Ｈａが平坦状に形成されている。なお、関連する技術として特許文献１に記載したものが
ある。
【先行技術文献】
【特許文献】
【００１３】
【特許文献１】特開２００７−１９３８５５号公報
【発明の概要】
【発明が解決しようとする課題】
【００１４】
上記従来の構成では、放熱板２８とホルダＨとの間の隙間αが熱伝達を高めるために狭
く設定されており（例えばα＝０．２〜０．５ｍｍ）、グリス注入孔３０に注入した放熱
グリスＧが平坦状の注入孔対向面Ｈａに当たってＵターンするから、その放熱グリスＧが
隙間αにほとんど入り込まない。従って、放熱グリスＧと放熱板２８及びホルダＨとの接
触面積があまり増えず、放熱効率を高めることができない。
【００１５】
本発明は、上記従来の欠点に鑑み、放熱効率を高めた放熱装置を提供することを目的と
している。
【課題を解決するための手段】
【００１６】
上記目的を達成するため、請求項１に記載の発明は、発熱体が金属製ホルダの中央嵌合
孔に嵌入され、該ホルダに接近して配置した金属製放熱板にグリス注入孔が開設されてお
り、そのグリス注入口からホルダと放熱板との間の隙間に放熱グリスを注入するようにし
た放熱装置において、前記ホルダの注入孔対向面にグリス注入孔と同心状で該グリス注入
孔よりも大径の環状グリス溜溝が形成され、該グリス溜溝の内周面がグリス注入孔と同心
状の円錐形面とされると共に、そのグリス溜溝の外周面が外広がりの外周傾斜面とされて
おり、グリス注入孔からグリス溜溝内にグリスを注入するようにしたことを特徴としてい
る。
【００１７】
請求項２に記載の発明は、請求項１に記載の発明において、前記グリス注入孔の周縁部
を折り曲げて放熱板に一体形成した環状突起部がグリス溜溝に向けて突出されていること
を特徴としている。
【００１８】
請求項３に記載の発明は、ディスク載置用トレイがローダーシャーシに前後進可能に配
置され、該ローダーシャーシに上下動可能に配置したトラバースシャーシにターンテーブ
ルと光ピックアップとが配置され、該光ピックアップがディスクの半径方向に沿って往復
移動可能なスライドベースを有し、該スライドベースの一方側面にＤＶＤ・ＣＤ用発光部
が配置されると共に、そのスライドベースの後面にＢＤ用発光部が配置され、該各発光部
がスライドベースに固定した金属製ホルダの中央嵌合孔に嵌入させたレーザダイオードか
らなり、ディスクを載置したトレイを後進させてローダーシャーシ内に収納し、トラバー
スシャーシを上動させてターンテーブルにディスクをクランプし、該ターンテーブルによ
りディスクを高速回転させ、各発光部のレーザダイオードからレーザ光をディスクに投射
し、その反射光に基づいてディスクに記録されている情報を読み取るようにしたディスク
装置であって、放熱板本体と該放熱板本体の一方側縁から折り曲げた放熱側板及びその放
熱板本体の後縁から折り曲げた放熱後板とからなる放熱板を有し、前記放熱側板及び放熱
後板の端縁からその中央部にかけて切欠き凹部が形成され、前記ＢＤ用発光部のホルダに
対向して放熱板本体と放熱後板とにグリス注入孔が開設されており、ＤＶＤ・ＣＤ用発光
部のホルダに放熱グリスを付着させ、放熱板本体をスライドベースに沿わせることにより
前記各切欠き凹部を各レーザダイオードに遊嵌合させ、該放熱板本体をスライドベースの
一方側面から他方側面に向けて移動させることにより放熱側板をＤＶＤ・ＣＤ用発光部の
ホルダに接近させて該ホルダ上の放熱グリスに接着させ、それと同時に、放熱後板をＢＤ
用発光部のホルダに接近状態で対向させ、放熱板本体をスライドベースに止着した後、前
記各グリス注入孔からホルダと放熱板本体及び放熱後板との間の隙間に放熱グリスを注入
するようにした放熱装置において、前記ＢＤ用発光部のホルダの注入孔対向面にグリス注
入孔と同心状で該グリス注入孔よりも大径の環状グリス溜溝が形成され、該グリス溜溝の
内周面がグリス注入孔と同心状の円錐形面とされると共に、そのグリス溜溝の外周面が外
広がりの外周傾斜面とされ、前記グリス注入孔の周縁部を折り曲げて放熱板に一体形成し
た環状突起部がグリス溜溝に向けて突出されており、グリス注入孔からグリス溜溝内にグ
リスを注入するようにしたことを特徴としている。
【発明の効果】
【００１９】
請求項１に記載の発明によれば、グリス注入孔に注入した放熱グリスがグリス溜溝の円
錐形面及び外周傾斜面に沿って外向きに広がるようになっており、そのグリス溜溝に溜め
た放熱グリスと放熱板及びホルダとの接触面積が充分に大きいから、放熱効率を従来に比
べて格段に高めることができる。
【００２０】
請求項２に記載の発明によれば、グリス注入孔の周縁から突出する環状突起部をグリス
溜溝の底面に接近させているので、その環状突起部を通してホルダから放熱板への熱伝達
を効率良く行うことができる。
【００２１】
請求項３に記載の発明によれば、ディスク装置（Ｂｌｕ−ｒａｙ  Ｄｉｓｃ式のレコー
ダまたはプレーヤ）において、ＢＤ用発光部のホルダの注入孔対向面にグリス注入孔と同
心状で該グリス注入孔よりも大径の環状グリス溜溝が形成されており、グリス注入孔に注
入した放熱グリスがグリス溜溝の円錐形面及び外周傾斜面に沿って外向きに広がり、その
グリス溜溝に溜めた放熱グリスと放熱板及びホルダとの接触面積が充分に大きいから、放
熱効率を従来に比べて格段に高めることができる。
【００２２】
また、グリス注入孔の周縁から突出する環状突起部をグリス溜溝の底面に接近させてい
るので、その環状突起部を通してホルダから放熱板への熱伝達を効率良く行うことができ
る。
【図面の簡単な説明】
【００２３】
【図１】本発明の実施の一形態である放熱装置を用いたディスク装置の要部を示す縦断面図である。
【図２】（ａ）は同要部の斜視図、（ｂ）は同要部の分解斜視図である。
【図３】（ａ）は同要部の放熱グリス注入前状態の縦断面図、（ｂ）は同放熱板のグリス注入孔付近の平面図、（ｃ）は同ホルダの環状グリス溜溝付近の平面図である。
【図４】ディスク装置の平面図である。
【図５】同縦断面図である。
【図６】同光ピックアップの裏面側斜視図である。
【図７】（ａ）〜（ｃ）は取付手順説明図である。
【図８】従来例を示す要部の縦断面図である。
【発明を実施するための形態】
【００２４】
図１〜図３は本発明の実施の一形態である放熱装置１８を用いたディスク装置（Ｂｌｕ
−ｒａｙ  Ｄｉｓｃ式のレコーダまたはプレーヤ）の要部を示すものであって、図１は同
縦断面図、図２（ａ）は同要部の斜視図、図２（ｂ）は同要部の分解斜視図、図３（ａ）
は同要部の放熱グリス注入前状態の縦断面図、図３（ｂ）は同放熱板のグリス注入孔付近
の平面図、図３（ｃ）は同ホルダの環状グリス溜溝付近の平面図である。
【００２５】
図１〜図３に示すように、ＢＤ用発光部１６のホルダＨの注入孔対向面Ｈａにグリス注
入孔３０と同心状で該グリス注入孔３０の口径ｍよりも外径ｎを大きく設定した環状グリ
ス溜溝３３が形成され、該グリス溜溝３３の内周面がグリス注入孔３０と同心Ｏ状の円錐
形面３３ａとされると共に、そのグリス溜溝３３の外周面が外広がりの外周傾斜面３３ｂ
とされ、前記グリス注入孔３０の周縁部を折り曲げて放熱板２８に一体形成した環状突起
部３４がグリス溜溝３３に向けて突出されており、注入器３１によりグリス注入孔３０か
らグリス溜溝３３内にグリスＧを注入している。上記以外の構成は図４〜図８に示す構成
とほぼ同じであるから、同一部分に同一符号を付してその説明を省略する。
【００２６】
上記構成によれば、ディスク装置（Ｂｌｕ−ｒａｙ  Ｄｉｓｃ式のレコーダまたはプレ
ーヤ）において、ＢＤ用発光部１６のホルダＨの注入孔対向面Ｈａにグリス注入孔３０と
同心状で該グリス注入孔３０よりも大径の環状グリス溜溝３３が形成されており、グリス
注入孔３０に注入した放熱グリスＧがグリス溜溝３３の円錐形面３３ａ及び外周傾斜面３
３ｂに沿って外向きに広がり、そのグリス溜溝３３に溜めた放熱グリスＧと放熱板２８及
びホルダＨとの接触面積が充分に大きいから、放熱効率を従来に比べて格段に高めること
ができる。
【００２７】
また、グリス注入孔３０の周縁から突出する環状突起部３４をグリス溜溝３３の底面に
接近させているので、その環状突起部３４を通してホルダＨから放熱板２８への熱伝達を
効率良く行うことができる。
【産業上の利用可能性】
【００２８】
上記実施の一形態では、ディスク装置（Ｂｌｕ−ｒａｙ  Ｄｉｓｃ式のレコーダまたは
プレーヤ）の放熱装置１８を例にあげて説明したが、これに限定されるわけではなく、各
種電気機器の発熱体の放熱を促進する放熱装置１８にも適用される。
【符号の説明】
【００２９】
１          トレイ
２          ローダーシャーシ
３          トラバースシャーシ
６          ターンテーブル
８          光ピックアップ
１０        スライドベース
１４        ＤＶＤ・ＣＤ用発光部
１６        ＢＤ用発光部
２８        放熱板
２８ａ      放熱板本体
２８ｂ      放熱側板
２８ｃ      放熱後板
２９        切欠き凹部
３０        グリス注入孔
３３        グリス溜溝
３３ａ      グリス溜溝の円錐形面
３３ｂ      グリス溜溝の外周傾斜面
３４        環状突起部
Ｄ          ディスク
Ｈ          ホルダ
Ｈａ        ホルダの注入孔対向面
ＬＤ        レーザダイオード（発熱体）
Ｇ          放熱グリス
【図１】
2010160833.tif 000003
【図２】
2010160833.tif 000004
【図３】
2010160833.tif 000005
【図４】
2010160833.tif 000006
【図５】
2010160833.tif 000007
【図６】
2010160833.tif 000008
【図７】
2010160833.tif 000009
【図８】
2010160833.tif 000010